(57)【要約】      （修正有）【課題】左右両辺に鋭い破面又は縫目による厚み感がなく、より快適に着用できる衣服バックホック、ブラジャー接続要素及びブラジャーを提供する。【解決手段】ブラジャーはブラジャー接続要素を含み、ブラジャー接続要素は衣服バックホックを含み、衣服バックホックは、内張り布１０と、内張り布の一面に設けられた留め具１１と、内張り布の外部に嵌設された、一端が開口する円筒状布袋である外バギング２０とを含み、外バギングには、留め具に対応して留め具が貫出するための第１のスリット２１が設けられる。衣服バックホックは、外バギングにより内張り布の外部に嵌設され、外バギングは内張り布を完全に被覆し、かつ外バギングは一端が開口する円筒状布袋であり、縫目がないため、より快適に着用できる。【選択図】図１
0003228045.tif 000002
【実用新案登録請求の範囲】
【請求項１】
内張り布と、前記内張り布の一面に設けられた留め具と、前記内張り布の外部に嵌設された、一端が開口する円筒状布袋である外バギングとを含み、前記外バギングには、前記留め具に対応して前記留め具が貫出するための第１のスリットが設けられる、ことを特徴とする衣服バックホック。
【請求項２】
前記内張り布の表面に設けられ、前記内張り布と前記外バギングを接着する熱融着フィルムをさらに含む、ことを特徴とする請求項１に記載の衣服バックホック。
【請求項３】
前記熱融着フィルムには、前記留め具に対応して前記留め具が貫出するための第２のスリットが設けられる、ことを特徴とする請求項２に記載の衣服バックホック。
【請求項４】
前記留め具がアイ部又はフック部である、ことを特徴とする請求項１又は３に記載の衣服バックホック。
【請求項５】
前記留め具が複数列に分けられると共に整列される、ことを特徴とする請求項４に記載の衣服バックホック。
【請求項６】
前記留め具は、列ごとに１つ又は複数設けられる、ことを特徴とする請求項５に記載の衣服バックホック。
【請求項７】
前記留め具が前記内張り布に縫着される、ことを特徴とする請求項４に記載の衣服バックホック。
【請求項８】
アイテープとフックテープを含み、前記アイテープ及び／又はフックテープが請求項１〜７のいずれか１項に記載の衣服バックホックを用いる、ことを特徴とするブラジャー接続要素。
【請求項９】
請求項８に記載のブラジャー接続要素を含む、ことを特徴とするブラジャー。
【考案の詳細な説明】
【技術分野】
【０００１】
本発明は、服装の分野に関し、具体的には、衣服バックホック、及び該衣服バックホックを用いるブラジャー接続要素、ブラジャーに関する。
【背景技術】
【０００２】
従来のブラジャーでは、接続要素が２本のストラップの端部に縫着され、相互に係合するアイテープとフックテープで構成される。アイテープの構造は、表面と裏面を含み、アイテープの表面に１列又は幾つか列のアイ部が設けられ、アイテープの裏面は身体に向く肌接触面であり、従来のアイテープは、加工時にテープを用いてアイ部をアイテープに直接縫着して形成されるものであるため、それに応じてアイテープの裏面に幾つかの縫目が残留して、ブラジャーの美観に影響を与え、縫目の存在のため、女性がブラジャーを着用する時にそれらの背部にこのような縫目状の跡があり、女性が完璧を追求する気持ちに影響を与え、また、これらの縫目に凹凸があるため、長時間に皮膚に接触し摩擦すると、着用者に不快さをもたらす場合もある。
【０００３】
上記状況に対して、本出願人はシームレスな裏返し縁取りバックホックを提出し、実用新案（中国実用新案出願第２０１０２０１２９２０４．２号）を得る。このようなシームレスな裏返し縁取りバックホックは、内張り布と幾つか列のアイ部で構成された基本体を含み、基本体の外部に長手形状の布片が被覆され、前記布片の前部が基本体の表面に被覆し、布片の後部は裏返して基本体の表面に被覆し、布片の左右側辺が内張り布の左右側辺の縫目と接続され、該縫目接続部位の縫目ニップが折り返されて布片によって形成された内部空洞に内蔵される。上記シームレスな裏返し縁取りバックホックは、外観効果が高く、着用快適性が良く、皮膚に損傷を与えないという利点を有するが、上記シームレスな裏返し縁取りバックホックは、加工過程において左右両側辺に縫目接続を行う必要があると共に、縫目ニップを折り返して布片によって形成された内部空洞に内蔵する必要があり、工程が多く、かつバックホックの左右両辺の中部に近い部位が厚く、使用者の着用心地に影響を与える。
【考案の概要】
【考案が解決しようとする課題】
【０００４】
本発明は、少なくとも従来の技術に存在する技術的問題の一つを解決して、縫目を必要として衣服バックホックを提供することを目的とする。
【課題を解決するための手段】
【０００５】
本発明の第１の態様によれば、内張り布と、前記内張り布の一面に設けられた留め具と、前記内張り布の外部に嵌設された、一端が開口する円筒状布袋である外バギングとを含み、前記外バギングには、前記留め具に対応して前記留め具が貫出するための第１のスリットが設けられる衣服バックホックを提供する。
【０００６】
上記衣服バックホックは、少なくとも以下の有益な効果を有する。外バギングにより内張り布の外部に嵌設され、外バギングは内張り布を完全に被覆し、かつ外バギングは一端が開口する円筒状布袋であり、縫目がないため、衣服バックホックの左右両辺に鋭い破面又は縫目による厚み感がなく、使用者に着用時により快適に感じさせ、調和がとれている。
【０００７】
本発明の第１の態様に記載の衣服バックホックによれば、前記内張り布の表面に設けられ、前記内張り布と前記外バギングを接着する熱融着フィルムをさらに含む。外バギングが内張り布の外部に嵌設されて内張り布を被覆した後、スチーマーで平坦にアイロン掛けし、熱融着フィルムが熱を受けて溶融した後に、内張り布と外バギングを接着する。
【０００８】
本発明の第１の態様に記載の衣服バックホックによれば、前記熱融着フィルムには、前記留め具に対応して前記留め具が貫出するための第２のスリットが設けられる。
【０００９】
本発明の第１の態様に記載の衣服バックホックによれば、前記留め具はアイ部又はフック部である。前記衣服バックホックがアイテープであると、前記留め具がアイ部であり、前記衣服バックホックがフックテープであると、前記留め具がフック部である。
【００１０】
本発明の第１の態様に記載の衣服バックホックによれば、前記留め具は複数列に分けられると共に整列される。
【００１１】
本発明の第１の態様に記載の衣服バックホックによれば、前記留め具は、列ごとに１つ又は複数設けられる。
【００１２】
本発明の第１の態様に記載の衣服バックホックによれば、前記留め具が前記内張り布に縫着される。
【００１３】
本発明の第２の態様によれば、アイテープとフックテープを含み、前記アイテープ及び／又はフックテープが本発明の第１の態様に記載の衣服バックホックを用いるブラジャー接続要素を提供する。
【００１４】
上記ブラジャー接続要素は、少なくとも以下の有益な効果を有する。ブラジャー接続要素の衣服バックホックは、外バギングにより内張り布の外部に嵌設され、外バギングは内張り布を完全に被覆し、かつ外バギングは一端が開口する円筒状布袋であり、縫目がないため、衣服バックホックの左右両辺に鋭い破面又は縫目による厚み感がなく、使用者に着用時により快適に感じさせ、調和がとれている。
【００１５】
本発明の第３の態様によれば、本発明の第２の態様に記載のブラジャー接続要素を含むブラジャーを提供する。
【考案の効果】
【００１６】
上記ブラジャーは、少なくとも以下の有益な効果を有する。ブラジャー接続要素に衣服バックホックが設けられ、衣服バックホックは、外バギングにより内張り布の外部に嵌設され、外バギングは内張り布を完全に被覆し、かつ外バギングは一端が開口する円筒状布袋であり、縫目がないため、衣服バックホックの左右両辺に鋭い破面又は縫目による厚み感がなく、使用者に着用時により快適に感じさせ、調和がとれている。
【図面の簡単な説明】
【００１７】
以下、図面及び実施例を参照しながら本発明をさらに説明する。
【図１】アイテープ型衣服バックホックの構成構造概略図である。
【図２】図１におけるアイテープ型衣服バックホックの組み合わせ後の構造概略図である。
【図３】フックテープ型衣服バックホックの構成構造概略図である。
【図４】図３におけるフックテープ型衣服バックホックの組み合わせ後の構造概略図である。
【考案を実施するための形態】
【００１８】
ここで、本発明の具体的な実施例を詳細に説明し、本発明の好ましい実施例を図面に示し、図面の作用は、図で明細書の文字部分の説明を補足することにより、人が本発明の各技術的特徴と全体的な技術的解決手段を直感的、視覚的に理解することであるが、本発明の保護の範囲を限定するものと理解すべきではない。
【００１９】
なお、本発明の説明において、方位説明の場合、例えば、上、下、前、後、左、右などで示す方位又は位置関係は、図面に示す方位又は位置関係に基づくものであり、本発明を容易に説明し説明を簡略化するためのものに過ぎず、示された装置又は要素が必ずしも特定の方位を有し、特定の方位で構成されて動作することを示すか又は示唆するものでないため、本発明を限定するものと理解すべきではない。
【００２０】
本発明の説明において、いくつかの意味は１つ又は複数であり、複数の意味は２つ以上であり、大きく、小さく、超えて等は該数を含まないものと理解され、以上、以下及び以内等は該数を含むものと理解される。第１、第２についての説明があると、技術的特徴を区別する目的に過ぎず、相対的な重要性を指示するか又は暗示し、或いは指示された技術的特徴の数量を暗示し、或いは指示された技術的特徴の先後関係を暗示すると理解すべきではない。
【００２１】
本発明の説明において、他の明確な限定がない限り、設け、取付、接続等の用語の意味は広く理解されるべきであり、当業者は技術的解決手段の具体的な内容を組み合わせて上記用語の本発明における具体的な意味を合理的に確定することができる。
【００２２】
図１を参照すると、本発明に係る好ましい実施例では、アイテープ型衣服バックホックは、支持体としての内張り布１０と、前記内張り布１０に縫着された幾つかのアイ部１１と、前記内張り布１０の外部に嵌設された外バギング２０とを含む。前記外バギング２０は、一端が開口する円筒状布袋であり、かつ外バギング２０には、アイ部１１に対応して幾つかの第１のスリット２１が設けられる。図２を参照すると、前記外バギング２０は内張り布１０の外部に嵌設され、アイ部１１は第１のスリットから貫出して外部に露出する。
【００２３】
図１を参照すると、内張り布１０と外バギング２０を縫目無しに接続固定するために、前記内張り布１０の表面に熱融着フィルム３０がさらに設けられ、熱融着フィルム３０には、前記アイ部１１に対応して第２のスリット３１が設けられるため、アイ部１１の貫出を妨げない。外バギング２０が内張り布１０の外部に嵌設されて内張り布１０を被覆した後、スチーマーで衣服バックホックを平坦にアイロン掛けし、熱融着フィルムが熱を受けて溶融した後に、内張り布１０と外バギング２０を接着し、縫目を必要とせず、鋭いエッジ又は粗い表面が残ることを回避する。
【００２４】
また、理解できるように、前記アイ部１１は複数列に設けられると共に整列され、各列に１〜４個のアイ部１１が設けられて、使用者が必要に応じて異なるアイ部１１を選択して係止しやすい。
【００２５】
図２を参照すると、本実施例に係る衣服バックホックは、使用前に衣服に接続される必要があるため、衣服バックホックの裾部位に超音波で衣服本体に接続されるための開口２２が設けられる。
【００２６】
本実施例のアイテープ型衣服バックホックは、以下のステップで製造される。
１）内張り布に３列のアイ部を縫着する、バックホック基本体縫着ステップと、
２）熱融着フィルムを貼り付け、アイ部が縫着された内張り布の表面に熱融着フィルムを配置し、熱融着フィルムをスチーマーでアイロン掛けしてから内張り布の表面に接着する、熱融着フィルム貼り付けステップと、
３）熱融着フィルムをアイロン掛けして接着した後、熱融着フィルムの前部にアイ部の数量と同じ、位置が対応する第２のスリットが設けられ、前記アイ部が第２のスリットから貫出する、熱融着フィルムの穴開けステップと、
４）内張り布と熱融着フィルムを超音波で２つの角丸を切断し、塊状部に切断し、同時に前部の両側辺に２つの角丸を切断する、超音波による２つの角丸の切断ステップと、
５）機械編みにより円筒状布切れを得て、超音波で円筒状布切れを幾つかの外バギングに押し込み加工し、同時にレーザーで外バギングにアイ部の数量と同じ、位置が対応する第１のスリットを設ける、外バギング作り及び穴開けステップと、
６）上記外バギングを内張り布の外部に被覆し、内張り布のアイ部が対応する第１のスリットから貫出して、バギング全体縁取りバックホックを形成するバギング被覆ステップと、
７）バギングが被覆されたバギング全体縁取りバックホックをスチーマーで平坦にアイロン掛けし、熱融着フィルムが溶融して、内張り布と外バギングを一体として接着し、脱落しにくく、基本体を外バギング内に被覆し、アイ部が表面から露出するように内張り布を作る、平坦にアイロン掛けステップと、
８）上記プロセスを完了した後、得られた衣服バックホックの裾部位に超音波で開口を設けて、衣服縫着時に衣服本体との接続に用いる裾部の開口設けステップとで製造加工される。
【００２７】
本実施例の衣服バックホックでは、外バギングを内張り布の外部に嵌設することにより、外バギングは内張り布を完全に被覆し、かつ外バギングは一端が開口する円筒状布袋であり、縫目がなく、プロセスを簡略化し、同時にアイテープ型衣服バックホックの左右両辺に鋭い破面又は縫目による厚み感がなく、使用者に着用時により快適に感じさせ、調和がとれている。
【００２８】
図３を参照すると、本発明に係る別の好ましい実施例では、フックテープ型衣服バックホックは、支持体としての内張り布１００と、前記内張り布１００に縫着された幾つかのフック部１１０と、前記内張り布１００の外部に嵌設された外バギング２００とを含む。前記外バギング２００は、一端が開口する円筒状布袋であり、かつ外バギング２００には、フック部１１０に対応して幾つかの第１のスリット２１０が設けられる。図４を参照すると、前記外バギング２００は内張り布１００の外部に嵌設され、フック部１１０は第１のスリットから貫出して外部に露出する。
【００２９】
本実施例では、同様に前記内張り布１００の表面に熱融着フィルム３００が設けられて、内張り布１００と外バギング２００を接着するという役割を果たす。また、本実施例の衣服バックホックでは、同様に裾部位に超音波で衣服本体に接続されるための開口２２０が設けられる。
【００３０】
上述した２種類の実施例に係る衣服バックホックは、それぞれブラジャー接続要素のアイテープとフックテープを作るために用いられてよく、アイテープのアイ部とフックテープのフック部は係合して、係止接続を行うことは、容易に想到できる。上述したブラジャー接続要素を用いて作られたブラジャーは、衣服バックホックの左右両辺に鋭い破面又は縫目による厚み感がないため、使用者に着用時により快適に感じさせ、調和がとれている。
【００３１】
以上の記載は、本発明の好ましい実施例に過ぎず、本発明は上記実施形態に限定されるものではなく、同じ手段で本発明の技術的効果を達成すれば、いずれも本発明の保護範囲に属すべきである。
【符号の説明】
【００３２】
１０、１００  内張り布
１１  アイ部
２０、２００  外バギング
２１、２１０  第１のスリット
２２、２２０  開口
３０、３００  熱融着フィルム
１１０  フック部
【図１】
0003228045.tif 000003
【図２】
0003228045.tif 000004
【図３】
0003228045.tif 000005
【図４】
0003228045.tif 000006